(57)【要約】  第１の送信制御部（１３）は、第１のセル（１１）に関する第１のコンフィグレーション情報（CFG1）を、少なくとも１つの第１の基地局（１）が受信可能な無線チャネルを用いて第２の基地局（７）に送信させる。第２の送信制御部（１４）は、上述した少なくとも１つの第１の基地局（１）のうちから基地局を選択するとともに、上位ネットワーク（１５）からアクセス回線（１６）を経由して、選択された基地局に対して第１のセル（１１）に関する第２のコンフィグレーション情報（CFG2）を送信する。
2011039926.tif 000002
【特許請求の範囲】
【請求項１】
アクセス回線を経由して上位ネットワークに接続され、各々が第１のセルを形成する少なくとも１つの第１の基地局と、
前記上位ネットワークに接続され、第２のセルを形成する第２の基地局と、
前記第１のセルに関する第１のコンフィグレーション情報を前記少なくとも１つの第１の基地局が受信可能な無線チャネルを用いて前記第２の基地局に送信させる第１の送信制御手段と、
前記少なくとも１つの第１の基地局のうちから基地局を選択するとともに、前記第１のセルに関する第２のコンフィグレーション情報を前記上位ネットワークから前記アクセス回線を経由して前記選択された基地局に送信する第２の送信制御手段と、
を備える移動通信システム。
【請求項２】
前記第２の送信制御手段は、前記少なくとも１つの第１の基地局のうち、前記第１のコンフィグレーション情報の少なくとも一部を受信できない基地局または前記第２のセルの受信品質が所定の条件に満たない基地局を、前記選択された基地局として選択する、請求項１に記載の移動通信システム。
【請求項３】
前記第１の基地局の各々は、前記第２のセルの受信品質を測定し、前記第２のセルの受信品質の測定結果を含むメッセージを前記第２の送信制御手段に送信するよう構成されている、請求項１又は２に記載の移動通信システム。
【請求項４】
前記第２の送信制御手段は、前記メッセージに含まれる前記測定結果より把握される前記第１の基地局における前記第２のセルの受信品質を考慮して、前記選択された基地局の選択を行う、請求項３に記載の移動通信システム。
【請求項５】
前記第１の基地局の各々は、送信要求を前記第２の送信制御手段に送信するよう構成されている、請求項１又は２に記載の移動通信システム。
【請求項６】
前記第２の送信制御手段は、前記送信要求の受信有無を考慮して前記選択された基地局の選択を行う、請求項５に記載の移動通信システム。
【請求項７】
前記第１の基地局は、前記第１のコンフィグレーション情報の少なくとも一部を受信できない場合、又は前記第２のセルの受信品質が不十分である場合に、前記送信要求を送信する、請求項５又は６に記載の移動通信システム。
【請求項８】
前記送信要求は、前記第１のセルに関する情報を含む、請求項５〜７のいずれか１項に記載の移動通信システム。
【請求項９】
前記第１のセルに関する情報は、前記第１のセルで使用される無線周波数、および前記第１のセルの識別子のうち少なくとも一方を含む、請求項８に記載の移動通信システム。
【請求項１０】
前記第２の送信制御手段は、前記第２のセルに属する移動局によって測定された前記移動局における前記第１のセルの受信品質を考慮して、前記選択された基地局の選択を行う、請求項１〜９のいずれか１項に記載の移動通信システム。
【請求項１１】
前記第２のコンフィグレーション情報で指定される前記第１のセルの設定内容は、前記移動局における前記第１のセルの受信品質の測定結果に基づいて決定される、請求項１０に記載の移動通信システム。
【請求項１２】
前記第２の送信制御手段は、前記第１のセルの測定を求める測定要求を前記第２の基地局を経由して前記移動局に送信するよう構成されている、請求項１０又は１１に記載の移動通信システム。
【請求項１３】
前記第２の送信制御手段は、前記第２のセルに属する少なくとも１つの移動局の位置情報を、前記第１の基地局の位置情報と照合することで、前記測定要求の送信先移動局を決定する、請求項１２に記載の移動通信システム。
【請求項１４】
前記第２の送信制御手段は、前記移動局における前記第１のセルからの干渉レベルが所定の基準を下回るように、前記第２のコンフィグレーション情報によって通知する前記第１のセルの設定内容を決定する、請求項１０〜１３のいずれか１項に記載の移動通信システム。
【請求項１５】
前記第１及び第２のコンフィグレーション情報は、前記第１の基地局の送信電力の設定情報、および前記第１のセルで使用される無線リソースの設定情報のうち少なくとも１つを含む、請求項１〜１４のいずれか１項に記載の移動通信システム。
【請求項１６】
前記第１のセルは、予め定められた移動局のみが接続を許可されるセルである、請求項１〜１５のいずれか１項に記載の移動通信システム。
【請求項１７】
第１のセルを形成し移動局との間で無線通信を行うとともに、他の基地局によって形成される第２のセルからの無線信号を受信可能な無線通信手段と、
上位ネットワークとの間でアクセス回線を経由して通信可能な上位ネットワーク通信手段と、
第１の経路、及び第２の経路の両方によって、前記第１のセルに関するコンフィグレーション情報を取得可能であり、前記コンフィグレーション情報に基づいて前記第１のセルを設定するコンフィグレーション制御手段と、
を備える、
基地局装置。
【請求項１８】
前記第１の経路は、前記第２のセルを経由して前記無線通信手段に到達する経路であり、
前記第２の経路は、前記上位ネットワーク及び前記アクセス回線を経由して前記上位ネットワーク通信手段に到達する経路である、請求項１７に記載の基地局装置。
【請求項１９】
前記コンフィグレーション制御手段は、前記第２の経路を経由しての前記コンフィグレーション情報の送信を求める送信要求を、前記上位ネットワーク通信手段を介して送信可能である、請求項１８に記載の基地局装置。
【請求項２０】
前記第１の基地局は、前記第１の経路によって前記コンフィグレーション情報の少なくとも一部を受信できない場合、又は前記無線通信手段における前記第２のセルの受信品質が不十分である場合に、前記送信要求を送信する、請求項１９に記載の基地局装置。
【請求項２１】
前記送信要求は、前記無線通信手段における前記第２のセルの受信品質の測定結果を含む、請求項１９又は２０に記載の基地局装置。
【請求項２２】
前記送信要求は、前記第１のセルに関する情報を含む、請求項１９〜２１のいずれか１項に記載の基地局装置。
【請求項２３】
前記第１のセルに関する情報は、前記第１のセルで使用される無線周波数および前記第１のセルの識別子のうち少なくとも一方を含む、請求項２２に記載の基地局装置。
【請求項２４】
前記コンフィグレーション制御手段は、前記第２の経路で取得されるコンフィグレーション情報を前記第１の経路で取得されるコンフィグレーション情報より優先的に使用して前記第１のセルを設定する、請求項１７〜２３のいずれか１項に記載の基地局装置。
【請求項２５】
基地局との間で無線通信を行うことが可能な無線通信手段と、
前記基地局が形成するセルとは異なる測定対象セルを特定するための識別情報を含む測定要求を前記無線通信手段を介して受信したことに応じて、前記測定対象セルからの無線信号の測定結果を前記無線通信手段を介して上位ネットワークに送信する制御手段と、
を備える移動局装置。
【請求項２６】
前記識別情報は、前記測定対象セルの無線周波数、前記測定対象セルのスクランブリングコード、前記測定対象セルのセルＩＤのうち少なくとも１つを含む、請求項２５に記載の移動局装置。
【請求項２７】
前記測定要求は、前記測定対象セルの測定のために前記基地局の送信電力が低減又は停止される期間を指定する情報をさらに含む、請求項２５又は２６に記載の移動局装置。
【請求項２８】
第１のセルを形成する少なくとも１つの第１の基地局に対するコンフィグレーション情報の供給方法であって、
前記第１のセルに関する第１のコンフィグレーション情報を、前記少なくとも１つの第１の基地局が受信可能な無線チャネルを用いて、第２のセルを形成する第２の基地局に送信させること、
前記少なくとも１つの第１の基地局のうちから基地局を選択すること、及び
前記第１のセルに関する第２のコンフィグレーション情報を上位ネットワークと前記選択された基地局の間を接続するアクセス回線を経由して前記選択された基地局に送信すること、
を備える、コンフィグレーション情報の供給方法。
【請求項２９】
前記選択された基地局の選択は、前記少なくとも１つの第１の基地局のうち、前記第１のコンフィグレーション情報の少なくとも一部を受信できない基地局または前記第２のセルの受信品質が所定の条件に満たない基地局を選択することにより行われる、請求項２８に記載の方法。
【請求項３０】
上位ネットワークにアクセス回線を経由して接続される基地局の制御方法であって、
他の基地局によって形成されるセルから到達する無線信号に含まれる第１のコンフィグレーション情報を取得すること、
前記上位ネットワーク及び前記アクセス回線を経由して到達する第２のコンフィグレーション情報を取得すること、及び
前記第１又は第２のコンフィグレーション情報に基づいて前記第１のセルを設定すること、
を備える、基地局の制御方法。
【請求項３１】
基地局との間で無線通信を行うこと可能な移動局の制御方法であって、
前記基地局が形成するセルとは異なる測定対象セルを特定するための識別情報を含む測定要求を前記基地局から無線により受信すること、及び
前記測定要求に基づいて、前記測定対象セルからの無線信号の測定結果を無線により前記基地局に送信すること、
を備える、移動局の制御方法。
【請求項３２】
上位ネットワークにアクセス回線を経由して接続される基地局に関する制御をコンピュータに実行させるプログラムが格納された非一時的なコンピュータ可読媒体であって、
前記制御は、
他の基地局によって形成されるセルから到達する無線信号に含まれる第１のコンフィグレーション情報を取得すること、
前記上位ネットワーク及び前記アクセス回線を経由して到達する第２のコンフィグレーション情報を取得すること、及び
前記第１又は第２のコンフィグレーション情報に基づいて前記第１のセルを設定すること、
を備える、コンピュータ可読媒体。
【請求項３３】
基地局との間で無線通信を行うこと可能な移動局に関する制御をコンピュータに実行させるプログラムが格納された非一時的なコンピュータ可読媒体であって、
前記制御は、
前記基地局が形成するセルとは異なる測定対象セルを特定するための識別情報を含む測定要求を、前記基地局から無線により到達した受信データの中から取得すること、及び
前記測定要求に基づいて、前記測定対象セルからの無線信号の測定結果を含む前記基地局への送信データを生成すること、
を備える、コンピュータ可読媒体。
【発明の詳細な説明】
【技術分野】
【０００１】
本発明は、ホーム基地局を含む移動通信システムに関し、特に、ホーム基地局又はホーム基地局が形成するセルのコンフィグレーションに関する。
【背景技術】
【０００２】
3GPP （Third Generation Partnership Project）等の標準化機関では、利用者宅内、オフィス内などに設置可能な小型基地局の標準化が進められている。この小型基地局は、ユーザによって宅内や小規模オフィス等に設置され、ADSL（Asymmetric Digital Subscriber Line）や光ファイバ回線等の固定回線であるアクセス回線を通じてコアネットワークに接続される。このような小型基地局は、一般的に、フェムト基地局、フェムトセル基地局、又はホーム基地局と呼ばれている。また、小型基地局が形成するセルのサイズ（カバーエリア）は、従来のマクロセルに比べて極めて小さい。このため、小型基地局が形成するセルは、フェムトセル又はホームセル等と呼ばれている。3GPPは、このような小型基地局を Home Node B（HNB）及び Home evolved Node B（HeNB）と定義して標準化作業を進めている。HNBはUTRAN （UMTS (Universal Mobile Telecommunications System) Terrestrial Radio Access Network）向けの小型基地局であり、HeNBはLTE（Long Term Evolution）/ E-UTRAN (Evolved UTRAN) 向けの小型基地局である。【０００３】
本明細書では、上述したような小型基地局を「ホーム基地局」と呼び、ホーム基地局によって形成されるセルを「ホームセル」と呼ぶ。なお、3GPPで検討されているUTRAN、E-UTRAN向けのホーム基地局を指す場合には、3GPPでの呼称にならって、HNB若しくはHeNB、又はこれらを総称してH(e)NBと呼ぶ。また、H(e)NBによって形成されるホームセルを、「H(e)NBセル」と呼ぶ。【０００４】
3GPP Release 8では、H(e)NBは、ユーザによって管理される基地局として標準化されている（非特許文献１を参照）。しかしながら、ユーザが、H(e)NB及びH(e)NBセルのコンフィグレーション（無線周波数、スクランブリングコード／フィジカルセルＩＤ、ダウンリンク送信電力等）を適切に設定することは難しい。このため、H(e)NBセルのコンフィグレーションが適切に行われていないことに起因して、M(e)NBセルとH(e)NBセルとの干渉問題が発生することが懸念されている。ここで、M(e)NBセルとは、M(e)NB（マクロNodeB又はマクロeNodeB）が生成するマクロセルである。【０００５】
H(e)NBセルとM(e)NBセルとの干渉を抑制するため、H(e)NBは、無線パラメータを自律的に設定する機能（セルフコンフィグレーション、オートコンフィグレーション等と呼ばれる）を持つことが検討されている。ここで、無線パラメータとは、無線通信の特性を規定するパラメータであって、具体的には、無線周波数帯域、スクランブリングコード、パイロット信号（CPICH：Common Pilot Channel）の送信電力、移動局によるアップリンク送信電力の最大値等である。また、自律的なセルフコンフィグレーションを行うために、H(e)NBが周辺のマクロセルからのダウンリンク信号を受信する機能（Network Listen Mode、Radio Environment Measurement等と呼ばれる）を持つことも検討されている。【０００６】
また、M(e)NBセルとH(e)NBセルとの干渉を抑制する他の解決手法として、ネットワークオペレータが管理するRNC（Radio Network Controller）等の制御装置からH(e)NBに対して、H(e)NBセルのコンフィグレーション情報を送信することが提案されている（非特許文献２を参照）。H(e)NBは、受信したコンフィグレーション情報に基づいてH(e)NBセルに関する設定を行う。この解決手法は、上述したセルフコンフィグレーションと併用することが想定されている。セルフコンフィグレーションは、H(e)NBのセットアップ時に行われることが想定されるため、H(e)NBセルの設定がその後の周辺環境の変化に適切に追随できないおそれがある。したがって、H(e)NBセルが適切に設定されていない場合には、上位ネットワーク側からH(e)NBにコンフィグレーション情報を供給することによって、H(e)NBセルの再コンフィグレーションを促すことが必要となる。【０００７】
コンフィグレーション情報をH(e)NBに供給する方法の１つとして、（１）M(e)NBから無線チャネル（報知チャネル等）によって送信することが提案されている。また、コンフィグレーション情報の他の送信方法として、（２）H(e)NBが接続している上位ネットワークからアクセス回線を経由して送信することが提案されている。ここで、上位ネットワークは、コアネットワーク、H(e)NBゲートウェイ（H(e)NB-GW）、及びH(e)NB とH(e)NBの間を接続するIPネットワークを含む。上位ネットワークを経由する送信経路は、典型的には有線経路であるが、少なくとも一部（特にユーザ宅内ネットワーク）には無線経路（無線LAN等）が使用される場合もある。
【先行技術文献】
【非特許文献】
【０００８】
【非特許文献１】3GPP TR 25.820 v8.2.0 (2008-09)、"3G Home Node B (HNB) study item Technical Report"
【非特許文献２】3GPP寄書、R3-091894 "Study on Enhanced Interference Management Mechanisms for HNB"、 [online]、3GPP、[平成21年9月19日検索]、インターネット＜URL：http://www.3gpp.org/ftp/tsg_ran/WG3_Iu/TSGR3_65/Docs/R3-091894.zip＞
【発明の概要】
【発明が解決しようとする課題】
【０００９】
コアネットワークに接続される全てのH(e)NBに対してアクセス回線経由でコンフィグレーション情報を送信することとすれば、M(e)NBから無線送信する場合に比べて、H(e)NBへのコンフィグレーション情報の到達性を向上できると考えられる。M(e)NBからのダウンリンク信号を受信できない場所に配置されているH(e)NBは、M(e)NBから無線送信されるコンフィグレーション情報を受信できないためである。しかしながら、全てのH(e)NBに対してコンフィグレーション情報をアクセス回線経由で送信すると、アクセス回線の負荷が大きくなることが懸念される。よって、M(e)NBからの無線送信と、アクセス回線経由での送信とを適切に組み合わせることで、アクセス回線の負荷が過度に増大することを抑制できることが望ましい。【００１０】
本発明は、発明者による上述の考察に基づいてなされたものである。すなわち、本発明の目的は、H(e)NB等のホーム基地局にコンフィグレーション情報を供給するに際して、コンフィグレーション情報のホーム基地局への到達性の維持と、アクセス回線の負荷抑制との両立に寄与することが可能な移動通信ステム、基地局装置、移動局装置、制御方法、及びプログラムを提供することにある。
【課題を解決するための手段】
【００１１】
本発明の第１に態様にかかる移動通信システムは、少なくとも１つの第１の基地局、第２の基地局、第１の送信制御部、及び第２の送信制御部を有する。前記少なくとも１つの第１の基地局は、アクセス回線を経由して上位ネットワークに接続され、各々が第１のセルを形成する、前記第２の基地局は、前記上位ネットワークに接続され、第２のセルを形成する。前記第１の送信制御部は、前記第１のセルに関する第１のコンフィグレーション情報を前記少なくとも１つの第１の基地局が受信可能な無線チャネルを用いて前記第２の基地局に送信させる。前記第２の送信制御部は、前記少なくとも１つの第１の基地局のうちから基地局を選択するとともに、前記第１のセルに関する第２のコンフィグレーション情報を前記上位ネットワークから前記アクセス回線を経由して前記選択された基地局に送信する。【００１２】
本発明の第２の態様にかかる基地局装置は、無線通信部、上位ネットワーク通信部、及びコンフィグレーション制御部を有する。前記無線通信部は、第１のセルを形成し移動局との間で無線通信を行うとともに、他の基地局によって形成される第２のセルからの無線信号を受信可能である。前記上位ネットワーク通信部は、上位ネットワークとの間でアクセス回線を経由して通信可能である。前記コンフィグレーション制御部は、第１の経路、及び第２の経路の両方によって、前記第１のセルに関するコンフィグレーション情報を取得可能であり、前記コンフィグレーション情報に基づいて前記第１のセルを設定する。【００１３】
本発明の第３の態様にかかる移動局装置は、無線通信部及び制御部を有する。前記無線通信部は、基地局との間で無線通信を行うことが可能である。前記制御部は、前記基地局が形成するセルとは異なる測定対象セルを特定するための識別情報を含む測定要求を前記無線通信部を介して受信したことに応じて、前記測定対象セルからの無線信号の測定結果を前記無線通信部を介して上位ネットワークに送信する。【００１４】
本発明の第４の態様は、第１のセルを形成する少なくとも１つの第１の基地局に対するコンフィグレーション情報の供給方法に関する。当該方法は、以下の（ａ）〜（ｃ）を含む。
（ａ）前記第１のセルに関する第１のコンフィグレーション情報を、前記少なくとも１つの第１の基地局が受信可能な無線チャネルを用いて、第２のセルを形成する第２の基地局に送信させること；
（ｂ）前記少なくとも１つの第１の基地局のうちから基地局を選択すること；及び
（ｃ）前記第１のセルに関する第２のコンフィグレーション情報を上位ネットワークと前記選択された基地局の間を接続するアクセス回線を経由して前記選択された基地局に送信すること。【００１５】
本発明の第５の態様は、上位ネットワークにアクセス回線を経由して接続される基地局の制御方法に関する。当該方法は、以下の（ａ）〜（ｃ）を含む。
（ａ）他の基地局によって形成されるセルから到達する無線信号に含まれる第１のコンフィグレーション情報を取得すること；
（ｂ）前記上位ネットワーク及び前記アクセス回線を経由して到達する第２のコンフィグレーション情報を取得すること；及び
（ｃ）前記第１又は第２のコンフィグレーション情報に基づいて前記第１のセルを設定すること。【００１６】
本発明の第６の態様は、基地局との間で無線通信を行うこと可能な移動局の制御方法に関する。当該方法は、以下の（ａ）〜（ｂ）を含む。
（ａ）前記基地局が形成するセルとは異なる測定対象セルを特定するための識別情報を含む測定要求を前記基地局から無線により受信すること；及び
（ｂ）前記測定要求に基づいて、前記測定対象セルからの無線信号の測定結果を無線により前記基地局に送信すること。【００１７】
本発明の第７の態様は、上位ネットワークにアクセス回線を経由して接続される基地局に関する制御をコンピュータに実行させるプログラムに関する。当該プログラムに基づいてコンピュータが行う前記制御は、以下の（ａ）〜（ｃ）を含む。
（ａ）他の基地局によって形成されるセルから到達する無線信号に含まれる第１のコンフィグレーション情報を取得すること；
（ｂ）前記上位ネットワーク及び前記アクセス回線を経由して到達する第２のコンフィグレーション情報を取得すること；及び
（ｃ）前記第１又は第２のコンフィグレーション情報に基づいて前記第１のセルを設定すること。【００１８】
本発明の第８の態様は、基地局との間で無線通信を行うこと可能な移動局に関する制御をコンピュータに実行させるプログラムに関する。当該プログラムに基づいてコンピュータが行う前記制御は、以下の（ａ）〜（ｂ）を含む。
（ａ）前記基地局が形成するセルとは異なる測定対象セルを特定するための識別情報を含む測定要求を、前記基地局から無線により到達した受信データの中から取得すること；及び
（ｂ）前記測定要求に基づいて、前記測定対象セルからの無線信号の測定結果を含む前記基地局への送信データを生成すること。
【発明の効果】
【００１９】
上述した本発明の各態様によれば、H(e)NB等のホーム基地局にコンフィグレーション情報を供給するに際して、コンフィグレーション情報のホーム基地局への到達性の維持と、アクセス回線の負荷抑制との両立に寄与することが可能な移動通信ステム、基地局装置、移動局装置、制御方法、及びプログラムを提供できる。
【図面の簡単な説明】
【００２０】
【図１】本発明の第１の実施の形態にかかる移動通信システムのネットワーク構成例を示す図である。
【図２】本発明の第１の実施の形態にかかる移動通信システムにおけるコンフィグレーション情報の供給手順を示すシーケンス図である。
【図３】本発明の第１の実施の形態にかかる移動通信システムのネットワーク構成例（UTRANの場合）を示す図である。
【図４】本発明の第１の実施の形態にかかる移動通信システムのネットワーク構成例（LTE/E-UTRANの場合）を示す図である。
【図５】本発明の第１の実施の形態にかかる移動通信システムのネットワーク構成例（UTRANの場合）を示す図である。
【図６】本発明の第２の実施の形態にかかる移動通信システムのネットワーク構成例（UTRANの場合）を示す図である。
【図７】本発明の第２の実施の形態におけるホーム基地局の構成例を示すブロック図である。
【図８】本発明の第２の実施の形態にかかる移動通信システムにおけるRNCの構成例を示すブロック図である。
【図９】本発明の第２の実施の形態におけるホーム基地局の動作手順の具体例を示すフローチャートである。
【図１０】本発明の第２の実施の形態におけるRNCの動作手順の具体例を示すフローチャートである。
【図１１】本発明の第３の実施の形態にかかる移動通信システムにおけるコンフィグレーション情報の供給手順を示すシーケンス図である。
【図１２】本発明の第３の実施の形態におけるホーム基地局の動作手順の具体例を示すフローチャートである。
【図１３】本発明の第３の実施の形態にかかる移動通信システムにおけるRNCの動作手順の具体例を示すフローチャートである。
【図１４】本発明の第４の実施の形態にかかる移動通信システムにおけるコンフィグレーション情報の供給手順を示すシーケンス図である。
【図１５】本発明の第４の実施の形態におけるホーム基地局の動作手順の具体例を示すフローチャートである。
【図１６】本発明の第４の実施の形態にかかる移動通信システムにおけるRNCの動作手順の具体例を示すフローチャートである。
【図１７】本発明の第５の実施の形態にかかる移動通信システムのネットワーク構成例（WCDMA/UTRANの場合）を示す図である。
【図１８】本発明の第５の実施の形態における移動局の構成例を示すブロック図である。
【図１９】本発明の第５の実施の形態にかかる移動通信システムにおけるコンフィグレーション情報の供給手順を示すシーケンス図である。
【図２０】本発明の第５の実施の形態におけるRNCの動作手順の具体例を示すフローチャートである。
【図２１】本発明の第５の実施の形態における移動局の動作手順の具体例を示すフローチャートである。
【図２２】本発明の第６の実施の形態にかかる移動通信システムのネットワーク構成例（WCDMA/UTRANの場合）を示す図である。
【図２３】本発明の第６の実施の形態にかかる移動通信システムにおけるコンフィグレーション情報の供給手順を示すシーケンス図である。
【図２４】本発明の第６の実施の形態におけるRNCの動作手順の具体例を示すフローチャートである。
【発明を実施するための形態】
【００２１】
以下では、本発明を適用した具体的な実施の形態について、図面を参照しながら詳細に説明する。各図面において、同一要素には同一の符号が付されており、説明の明確化のため、必要に応じて重複説明は省略される。
【００２２】
＜第１の実施の形態＞
図１は、本発明の第１の実施の形態にかかる移動通信ステムのネットワーク構成例を示す図である。なお、図１では、説明の簡略化のためにホーム基地局１を１つのみ図示しているが、複数のホーム基地局がマクロセル１２内に配置される形態が一般的である。また、ホームセル１１に接続する移動局８−１及びマクロセル１２に接続する移動局８−２も複数台存在する形態が一般的である。
【００２３】
ホーム基地局１は、移動局８−１との間で双方向の無線通信を行う。また、ホーム基地局１は、ネットワークオペレータ（移動体通信事業者）のコアネットワークを含む上位ネットワーク１５にアクセス回線１６を介して接続されており、移動局８−１と上位ネットワーク１５との間でトラフィックを中継する。ホームセル１１は、ホーム基地局１によって形成されるセルである。
【００２４】
マクロ基地局７は、ホームセル１１に比べてセルサイズの大きいマクロセル１２を形成し、移動局８−２との間で双方向の無線通信を行う。マクロ基地局７は、上位ネットワーク１５に接続されており、移動局８−２と上位ネットワーク１５との間でトラフィックを中継する。
【００２５】
上位ネットワーク１５に配置された無線送信制御部１３及び有線送信制御部１４は、ホーム基地局１のコンフィグレーション情報（CFG1又はCFG2）をホーム基地局１に供給する。コンフィグレーション情報（CFG1又はCFG2）は、ホームセル１１の設定に必要な情報を含む。コンフィグレーション情報（CFG1又はCFG2）は、ホームセル１１の特性を規定する無線パラメータの指定を含む。ホームセル１１の無線リソース（無線周波数、スクランブリングコード等）、ダウンリンク信号の送信電力のうち少なくとも１つを指定する。
【００２６】
無線送信制御部１３は、マクロ基地局７を経由する無線通信経路によってコンフィグレーション情報（CFG1）をホーム基地局１に供給する。つまり、コンフィグレーション情報（CFG1）は、マクロ基地局７からのダウンリンク無線チャネルを用いてマクロセル１２内に送信される。マクロセル１２内に配置された複数のホーム基地局１がコンフィグレーション情報（CFG1）を受信できるように、複数のホーム基地局１が受信可能な共通制御チャネル（報知チャネル等）を用いるとよい。
【００２７】
一方、有線送信制御部１４は、ホーム基地局１を上位ネットワーク１５に接続するアクセス回線１６を経由して、コンフィグレーション情報（CFG2）をホーム基地局１に送信する。アクセス回線１６は、ユーザの家庭内LAN、ADSL又は光ファイバ回線等のアクセス回線、ISP（Internet Service Provider）のIPネットワーク等を含む。アクセス回線１６は、典型的には有線の回線及びネットワークであるが、少なくとも一部は無線の回線及びネットワークであってもよい。つまり、マクロ基地局７から送信されるダウンリンク無線チャネルを用いる"無線"送信制御部１３との区別を明瞭にするため、"有線"送信制御部１４との名称を用いているが、有線送信制御部１４からホーム基地局１へのコンフィグレーション情報（CFG2）の送信経路の全体が有線の回線及びネットワークである必要はない。
【００２８】
また、有線送信制御部１４は、全てのホーム基地局１に対して無条件にコンフィグレーション情報（CFG2）を送信するのではない。すなわち、有線送信制御部１４は、マクロ基地局７のダウンリンク無線チャネル経由で送信されるコンフィグレーション情報（CFG1）によって適切に設定されていないことが疑われる被疑基地局を複数のホーム基地局１の中から選択する。そして、有線送信制御部１４は、コンフィグレーション情報（CFG2）を被疑基地局に対して選択的に送信する。
【００２９】
なお、２つのコンフィグレーション情報CFG1及びCFG２は、同一の内容でもよいし、異なる内容でもよい。CFG1とCFG２を異なる内容とする場合、例えば、コンフィグレーション情報（CFG1）は、マクロセル１２内に配置された複数のホーム基地局１に対して共通的な設定内容とすればよい。一方、コンフィグレーション情報（CFG2）は、被疑基地局に対応した個別の設定内容とすればよい。
【００３０】
図２は、ホーム基地局１へのコンフィグレーション情報の供給手順の具体例を示すシーケンス図である。なお、図２では、マクロセル１２内またはその近傍に３台のホーム基地局１（１Ａ〜１Ｃ）が配置されている場合を想定している。また、図２では、ホーム基地局１Ｂ及び１Ｃは、マクロ基地局７から送信されるダウンリンク無線チャネルを受信可能な場所に配置されているものとする。一方、ホーム基地局１Ａは、マクロ基地局７から送信されるダウンリンク無線チャネルを受信することが困難な場所に配置されているものとする。
【００３１】
図２のステップＳ１０１では、無線送信制御部（RTC）１３からマクロ基地局７にコンフィグレーション情報（CFG1）が送信される。ステップＳ１０２では、マクロ基地局７は、ホーム基地局１Ａ〜１Ｃが受信可能なダウンリンク無線チャネルを用いて、コンフィグレーション情報（CFG1）を送信する。ステップＳ１０３では、ホーム基地局１Ｂ及び１Ｃは、マクロ基地局７から受信したコンフィグレーション情報（CFG1）に従って自身のホームセルを調整する。一方、ホーム基地局１Ａは、マクロ基地局７から送信されるダウンリンク無線チャネルを受信できないため、ここでのセルコンフィグレーションの調整を行わない。
【００３２】
ステップＳ１０４では、有線送信制御部（WTC）１４は、コンフィグレーション情報（CFG1）によって適切に設定されていないことが疑われる被疑基地局を選択する。ここでは、ホーム基地局１Ａが被疑基地局として選択される。ステップＳ１０５では、有線送信制御部（WTC）１４は、被疑基地局として選択されたホーム基地局１Ａに対して、上位ネットワーク１５からアクセス回線１６を経由してコンフィグレーション情報（CFG2）を送信する。最後に、ステップＳ１０６では、ホーム基地局１Ａは、上位ネットワーク１５からアクセス回線１６経由で受信したコンフィグレーション情報（CFG2）に従って自身のホームセルを調整する。
【００３３】
上述したように、本実施の形態では、無線送信制御部１３及びマクロ基地局７は、マクロセル１２内に配置されたホーム基地局１が受信可能な無線チャネルを使用して、コンフィグレーション情報（CFG1）を無線送信する。さらに、有線送信制御部１４は、適切に設定されていないことが疑われるホーム基地局１（被疑基地局）を選択し、被疑基地局に対して上位ネットワーク１５経由でコンフィグレーション情報（CFG2）を送信する。つまり、本実施の形態は、マクロ基地局７経由でのコンフィグレーション情報（CFG1）の無線送信を基本とし、コンフィグレーション情報（CFG1）によって適切に設定されていない疑いのある被疑基地局に対して選択的に上位ネットワーク１５からアクセス回線１６経由でコンフィグレーション情報（CFG2）を送信する。これにより、コンフィグレーション情報のホーム基地局１への到達性の維持と、上位ネットワーク１５の負荷抑制とを両立できる。
【００３４】
ところで、無線送信制御部１３及び有線送信制御部１４の配置は、ネットワークアーキテクチャの設計思想に基づいて適宜決定されるものである。例えば、本実施の形態の移動通信システムがUMTSである場合、図３に示すように、無線送信制御部１３及び有線送信制御部１４の機能をRNC１５２に配置してもよい。図３は、本実施の形態にかかる移動通信システムをUMTSに適用した場合の構成例を示す図である。図３の例では、上位ネットワーク１５は、コアネットワーク１５０、HNB-GW１５１、及びRNC１５２を含む。HNB-GW１５１は、コアネットワーク１５０とホーム基地局（HNB）１の間に配置され、これらの間でユーザデータ及びCFG2を含む制御データを中継する。RNC１５２は、コアネットワーク１５０とマクロ基地局７の間に配置され、これらの間でユーザデータ及び制御データを中継する。また、RNC１５２は、マクロセル１２の無線リソース管理、マクロセル１２に在圏する移動局８−２のセル間移動の制御を行う。
【００３５】
また、本実施の形態の移動通信システムがEPS（Evolved Packet System）である場合、図４に示すように、無線送信制御部１３及び有線送信制御部１４の機能をマクロ基地局（マクロeNB（MeNB））７に配置してもよい。図４は、EPSに適用した場合の本実施の形態にかかる移動通信システムの構成例を示す図である。
【００３６】
また、図５に示すように、無線送信制御部１３及び有線送信制御部１４の機能を、コアネットワーク１５０内の管理サーバ１５３に配置してもよい。図５は、UMTSの場合を示しているが、EPS等の他の移動通信システムの場合も同様である。
【００３７】
また、無線送信制御部１３の機能と及び有線送信制御部１４の機能は、分離して配置されてもよい。例えば、図３の例において、無線送信制御部１３をRNC１５２に配置し、有線送信制御部１４をコアネットワーク１５０に配置してもよい。
【００３８】
本実施の形態では、有線送信制御部１４が被疑基地局を選択することについて述べた。この有線送信制御部１４による被疑基地局の選択手法に関しては、様々な具体例が存在する。例えば、有線送信制御部１４は、ホーム基地局１の属性を示す情報を参照することで、被疑基地局を判定してもよい。ホーム基地局１を管理する管理サーバを上位ネットワーク１５に配置しておき、この管理サーバがホーム基地局１の属性情報の収集および管理を行えばよい。
【００３９】
ホーム基地局１の属性としては、ホーム基地局１の設置場所の情報、ホーム基地局１の設置場所におけるマクロセル１２からの無線信号の受信品質を示す情報、又はマクロセル１２からの干渉レベルを示す情報などを用いればよい。例えば、マクロセル１２からの無線信号の受信品質が低い場合には、無線経路でのコンフィグレーション情報（CFG1）を正常に受信できないおそれがあることから、上位ネットワーク１５経由でのコンフィグレーション情報（CFG2）の供給が必要となる可能性が高いためである。また、マクロセル１２からの干渉レベルが大きい場合には、全てのホーム基地局１に共通なコンフィグレーション情報（CFG1）では適切な設定でないおそれがあることから、コンフィグレーション情報（CFG2）による個別の設定が必要となる可能性が高いためである。
【００４０】
また、有線送信制御部１４は、マクロセル１２からのダウンリンク無線信号の受信品質の測定結果を各ホーム基地局１から受信し、受信品質が所定の基準を下回る基地局を被疑基地局に選択してもよい。
【００４１】
また、有線送信制御部１４は、ホーム基地局１からの送信要求の受信有無によって被疑基地局を判定してもよい。つまり、コンフィグレーション情報（CFG2）の送信要求をホーム基地局１から受信した場合、送信元の基地局を被疑基地局に選択すればよい。
【００４２】
また、有線送信制御部１４は、マクロセル１２に接続している移動局８−２がホームセル１１を測定した結果を用いて、被疑基地局の判定を行ってもよい。具体的には、移動局８−２への干渉（ホームセル１１のダウンリンク信号のマクロセル１２のダウンリンク信号への干渉）が所定の基準より大きい場合に、当該ホームセル１１を形成するホーム基地局１を被疑基地局に選択するとよい。このようなホーム基地局１には、干渉を低減するために、個別のコンフィグレーション情報（CFG2）を与える必要があるためである。
【００４３】
上述したいくつかの例を含む被疑基地局の判定手法の具体例については、本発明の第２〜第６の実施の形態において詳しく説明する。
【００４４】
＜第２の実施の形態＞
本実施の形態にかかる移動通信システムの構成例を図６に示す。本実施の形態ではUMTS/UTRANの場合について具体的に説明するが、EPS（Evolved Packet System）/E-UTRAN等の他のシステムにも本実施の形態を適用可能であることは勿論である。
【００４５】
本実施の形態では、RNC２５２は、コンフィグレーション情報（CFG1）をマクロ基地局（MNB）７に無線送信させる。また、RNC２５２は、ホーム基地局（HNB）２が被疑基地局であると判定した場合に、コアネットワーク１５０及びHNB-GW１５１からアクセス回線１６経由でコンフィグレーション情報（CFG2）をHNB２に送信する。また、RNC２５２は、HNB２の属性を示す登録情報を参照することで被疑基地局の判定を行う。
【００４６】
以下では、図７及び８を参照して、HNB２及びRNC２５２の構成例について順に説明する。図７は、HNB２の構成の一例を示すブロック図である。図７において、無線通信部１０１は、送信データ処理部１０２から供給される送信シンボル列の直交変調、周波数変換、信号増幅等の各処理を行ってダウンリンク信号を生成し、これを移動局８−２に送信する。また、無線通信部１０１は、移動局８−２から送信されたアップリンク信号を受信する。
【００４７】
さらに、無線通信部１０１は、MNB７等の周辺基地局からのダウンリンク信号を受信する機能（Network Listen Mode）を有する。無線通信部１０１は、MNB７から送信されるダウンリンク信号の受信、受信品質の測定を行うよう構成されている。
【００４８】
送信データ処理部１０２は、移動局８−２に向けて送信される送信データを通信部１０４から取得し、誤り訂正符号化、レートマッチング、インタリービング等を行なってトランスポートチャネルを生成する。さらに、送信データ処理部１０２は、トランスポートチャネルのデータ系列にTPC（Transmit Power Control）ビット等の制御情報を付加して無線フレームを生成する。また、送信データ処理部１０２は、拡散処理、シンボルマッピングを行って送信シンボル列を生成する。
【００４９】
また、送信データ処理部１０２は、コアネットワーク１５０からコンフィグレーション情報（CFG2）を受信した場合、これをコンフィグレーション制御部１０５に転送する。
【００５０】
受信データ処理部１０３は、無線通信部１０１により受信されたアップリンク信号の逆拡散、ＲＡＫＥ合成、デインタリービング、チャネル復号、エラー訂正等の各処理を行って受信データを復元する。得られた受信データは、通信部１０４を経由してHNB-GW１５１およびコアネットワーク１５０に転送される。
【００５１】
また、受信データ処理部１０３は、無線通信部１０１の動作モードが周辺基地局からのダウンリンク信号を受信するモード（Network Listen Mode）である場合、セルコンフィグレーション情報（CFG1）を受信データから取得する。
【００５２】
コンフィグレーション制御部１０５は、受信データ処理部１０３から受け取ったコンフィグレーション情報（CFG1）又は送信データ処理部１０２から受け取ったコンフィグレーション情報（CFG2）に従って、ホームセル（HNBセル）１１のコンフィグレーションを行う。また、コンフィグレーション制御部１０５は、マクロセル（MNBセル）１２の受信品質の測定結果を通信部１０４経由でコアネットワーク１５０に送信してもよい。また、コンフィグレーション制御部１０５は、コンフィグレーション情報（CFG2）の送信要求を通信部１０４経由でコアネットワーク１５０に送信してもよい。
【００５３】
図８は、RNC２５２の構成例を示すブロック図である。通信部２５２１は、MNB７との間でユーザデータ及び制御データを送受信する。送信データ処理部２５２２は、移動局８−１およびMNB７に向けて送信される送信データを通信部２５２４から取得する。また、送信データ処理部２５２２は、コンフィグレーション制御部２５２５からコンフィグレーション情報（CFG1）を受け取った場合、通信部２５２１およびMNB７を経由して、コンフィグレーション情報（CFG1）をMNBセル１２内に報知する。
【００５４】
受信データ処理部２５２３は、通信部２５２１から受信したデータを、通信部２５２４を経由してコアネットワーク１５０に転送する。また、受信データ処理部２５２３は、コンフィグレーション制御部２５２５からコンフィグレーション情報（CFG2）を受け取った場合、通信部２５２４及びコアネットワーク１５０を経由して、これを宛先のHNB２へ送信する。
【００５５】
コンフィグレーション制御部２５２５は、送信データ処理部２５２２及び通信部２５２１を経由して、コンフィグレーション情報（CFG1）をMNB７に送る。また、コンフィグレーション制御部２５２５は、被疑基地局を選択し、被疑基地局として選択されたHNB２に対してコンフィグレーション情報（CFG2）を送信する。
【００５６】
続いて以下では、HNB２及びRNC２５２の動作について説明する。図９は、コンフィグレーション情報（CFG1又はCFG2）を受信したHNB２の動作の具体例を示すフローチャートである。ステップＳ２０１では、HNB２は、コアネットワーク１５０からアクセス回線１６経由でコンフィグレーション情報（CFG2）を受信しているかを判定する。
【００５７】
CFG2を受信した場合（Ｓ２０１でＹＥＳ）、HNB２は、CFG2に従ってホームセル１１のコンフィグレーションを行う（ステップＳ２０２）。一方、CFG2を受信できなかった場合（Ｓ２０１でＮＯ）、HNB２は、コンフィグレーション情報（CFG１）をMNB７経由で受信しているかを判定する（ステップＳ２０３）。CFG1を受信した場合（Ｓ２０３でＹＥＳ）、HNB２は、CFG1に従ってホームセル１１のコンフィグレーションを行う（ステップＳ２０４）。
【００５８】
CFG1及びCFG2を共に受信できなかった場合（ステップＳ２０３でＮＯ）、HNB２は、デフォルト設定に従って、ホームセル１１のコンフィグレーションを行う（ステップＳ２０５）。ホームセル１１のデフォルト設定は、製品出荷時等にHNB１に予め保持させてもよいし、コアネットワーク１５０又はHNB-GW１５１からHNB１に通知してもよい。また、HNB１自身がホームセル１１のデフォルト設定を決定してもよい。
【００５９】
図９の例では、HNB２は、CFG1及びCFG2の両方を受信できた場合には、コアネットワーク１５０からアクセス回線１６経由で通知されたCFG2を優先的に使用する。HNB２がCFG1を受信可能であっても、マクロセル１２の受信品質が低い場合には受信したCFG1の信頼性が低い場合が想定される。このような場合に、図９の例によれば、コアネットワーク１５０からアクセス回線１６経由で送られる信頼性の高いCFG２をHNB２に優先的に使用させることができる。また、全てのHNB２に共通的に使用されるCFG1を使用したのではマクロセル１２に対して過度の干渉をもたらすケースが想定される。このような場合に、図９の例によれば、個別に与えられたCFG２をHNB２に優先的に使用させることができ、マクロセル１２への干渉を抑制することができる。
【００６０】
図１０は、RNC２５２によるコンフィグレーション情報の送信動作の具体例を示すフローチャートである。ステップＳ３０１では、RNC２５２（コンフィグレーション制御部２５２５）は、コンフィグレーション情報（CFG1）をMNB７経由で送信する。
【００６１】
ステップＳ３０２では、コンフィグレーション制御部２５２５は、被疑基地局の選択を行う。被疑基地局の選択は、HNB２の属性を示す登録情報を参照することで行えばよい。この登録情報は、コアネットワーク１５０に接続されたHNB２の管理を行う管理サーバ（不図示）に保持させればよい。また、HNB２の属性としては、第１の実施の形態で述べたように、HNB２の設置場所の情報、HNB２の設置場所におけるマクロセル１２からの無線信号の受信品質を示す情報、若しくはマクロセル１２からの干渉レベルを示す情報、又はこれらの組み合わせ等を用いればよい。
【００６２】
ステップＳ３０３では、コンフィグレーション制御部２５２５は、選択した被疑基地局に対して、コアネットワーク１５０からアクセス回線１６経由でコンフィグレーション情報（CFG2）を送信する。
【００６３】
以上に述べたように、本実施の形態によれば、無線送信制御部１３及び有線送信制御部１４の機能を持つRNC２５２によって、マクロセル１２経由でのコンフィグレーション情報（CFG1）の送信、被疑基地局の選択、及びコアネットワーク１５０経由でのコンフィグレーション情報（CFG2）の被疑基地局に対する送信、を行うことができる。
【００６４】
＜第３の実施の形態＞
本実施の形態では、ホーム基地局の設置場所におけるマクロセルからのダウンリンク信号の受信品質を指標として被疑基地局の選択を行う具体例について説明する。本実施の形態ではUMTS/UTRANの場合について説明する。本実施の形態にかかる移動通信システムの構成は、第２の実施の形態に関する図６と同様にすればよい。
【００６５】
図１１は、HNB３へのコンフィグレーション情報の供給手順の具体例を示すシーケンス図である。HNB３は、本実施の形態のホーム基地局である。RNC３５２は、無線送信制御部１３及び有線送信制御部１４の機能を持つ。図１１では、図２と同様に、マクロセル１２内またはその近傍に３台のHNB３（３Ａ〜３Ｃ）が配置されている場合を想定している。また、図１１では、HNB３Ｂ及び３Ｃは、MNB７から送信されるダウンリンク無線チャネルを受信可能な場所に配置されているものとする。一方、HNB３Ａは、MNB７から送信されるダウンリンク無線チャネルを受信することが困難な場所に配置されているものとする。
【００６６】
ステップＳ４０１及びＳ４０２では、RNC３５２は、MNB７を経由してマクロセル１２内にコンフィグレーション情報（CFG１）を報知する。HNB３Ｂ及び３Ｃは、コンフィグレーション情報（CFG１）を受信し、これに従って自身のホームセルの調整を行う（ステップＳ４０３）。一方、HNB３Ａは、MNB７から送信されるダウンリンク無線チャネルを受信できないため、ここでのセルコンフィグレーションの調整を行わない。
【００６７】
ステップＳ４０４では、全てのHNB３、すなわちHNB３Ａ〜３Ｃがコンフィグレーション情報（CFG２）の送信要求（CFG要求）を行う。なお、図１１では、HNB３Ａ〜３Ｃが同様のタイミングでCFG要求を送るように示しているが、各HNB３による要求送信は異なるタイミングで行われてもよい。
【００６８】
ステップＳ４０５では、CFG要求を受信したRNC３５２によって、被疑基地局の選択が行われる。RNC３５２は、CFG要求の送信元HNB３におけるマクロセル１２の受信品質が予め定められた基準を下回る場合に、当該HNBを被疑基地局に選択すればよい。なお、RNC３５２における被疑基地局の選択を可能とするため、CFG要求に送信元HNB３におけるマクロセル１２の受信品質を示す情報を含めればよい。図１１の例では、HNB３Aが被疑基地局として選択される。
【００６９】
ステップＳ４０６では、RNC３５２は、被疑基地局に選択したHNB３Ａに対してコンフィグレーション情報（CFG2）を送信する。最後に、ステップＳ４０７では、HNB３Ａは、コアネットワーク１５０経由で受信したコンフィグレーション情報（CFG2）に従って自身のホームセルを調整する。
【００７０】
図１２は、HNB３の動作の具体例を示すフローチャートである。ステップＳ５０１では、HNB３は、コンフィグレーション情報（CFG2）の送信要求（CFG要求）をコアネットワーク１５０に送信する。ステップＳ５０２では、HNB３は、コアネットワーク１５０からアクセス回線１６経由でコンフィグレーション情報（CFG2）を受信できたかを判定する。なお、ステップＳ５０２においてCFG2を受信できないと判定した場合、HNB３は、所定の回数に達するまでステップＳ５０１の動作を繰り返し行ってもよい。
【００７１】
CFG2を受信できた場合（Ｓ５０２でＹＥＳ）、HNB３は、CFG2に従ってホームセル１１のコンフィグレーションを行う（ステップＳ５０３）。一方、CFG2を受信できなかった場合（Ｓ５０２でＮＯ）、HNB３は、コンフィグレーション情報（CFG１）をMNB７経由で受信できたかを判定する（ステップＳ５０４）。CFG1を受信できた場合（Ｓ５０４でＹＥＳ）、HNB３は、CFG1に従ってホームセル１１のコンフィグレーションを行う（ステップＳ５０５）。
【００７２】
CFG1及びCFG2を共に受信できなかった場合（ステップＳ５０４でＮＯ）、HNB３は、デフォルト設定に従って、ホームセル１１のコンフィグレーションを行う（ステップＳ５０６）。
【００７３】
図１３は、RNC３５２による被疑基地局の選択動作および被疑基地局へのコンフィグレーション情報（CFG2）の送信動作の具体例を示すフローチャートである。ステップＳ６０１では、RNC３５２は、コンフィグレーション情報（CFG1）をMNB７経由で送信する。ステップＳ６０２では、RNC３５２は、CFG要求をHNB３から受信したか否かを判定する。CFG要求を受信した場合、RNC３５２は、CFG要求の送信元HNB３におけるマクロセルの受信品質を予め定められた閾値と比較する（ステップＳ６０３）。送信元HNB３におけるマクロセルの受信品質が閾値を下回る場合（ステップＳ６０３でＹＥＳ）、RNC３５２は、送信元HNB３を被疑基地局とみなしてコンフィグレーション情報（CFG２）を送信する（ステップＳ６０４）。
【００７４】
＜第４の実施の形態＞
本実施の形態においても、ホーム基地局の設置場所におけるマクロセルからのダウンリンク信号の受信品質を指標として被疑基地局の選択を行う具体例について説明する。本実施の形態ではUMTS/UTRANの場合について説明する。本実施の形態にかかる移動通信システムの構成は、第２の実施の形態に関する図６と同様にすればよい。
【００７５】
図１４は、HNB４へのコンフィグレーション情報の供給手順の具体例を示すシーケンス図である。HNB４は、本実施の形態のホーム基地局である。RNC４５２は、無線送信制御部１３及び有線送信制御部１４の機能を持つ。図１４では、図２と同様に、マクロセル１２内またはその近傍に３台のHNB４（４Ａ〜４Ｃ）が配置されている場合を想定している。また、図１４では、HNB４Ｂ及び４Ｃは、MNB７から送信されるダウンリンク無線チャネルを受信可能な場所に配置されているものとする。一方、HNB４Ａは、MNB７から送信されるダウンリンク無線チャネルを受信することが困難な場所に配置されているものとする。
【００７６】
上述した第３の実施の形態では、マクロセル１２周辺に配置された全てのHNB３が、マクロセル１２の受信品質情報を含むCFG要求を送信する例について説明した（図１１を参照）。これに対して、本実施の形態では、CFG1を受信できない、又はマクロセル１２の受信品質が十分でないと判定したHNB４のみがCFG要求を送信する。以下では、図１４と図１１との差分を中心に説明する。
【００７７】
図１４のステップＳ７０１〜Ｓ７０３は、図１１のステップＳ４０１〜Ｓ４０３と同様である。図１４のステップＳ７０４では、ＨＮＢ４Ａは、MNB７経由でコンフィグレーション情報（CFG1）を受信できなかったことを判定する。ステップＳ７０５では、CFG1を受信できなかったHNB４ＡからRNC４５２にCFG要求が送られる。なお、CFG1を正常に受信できたHNB３Ｂ及び３Ｃは、CFG要求を送信しない。
【００７８】
ステップＳ７０６では、RNC４５２は、CFG要求に応答して、コンフィグレーション情報（CFG2）をコアネットワーク１５０からアクセス回線１６経由でHNB４Ａに送信する。最後に、ステップＳ７０７ではHNB４Ａは、コアネットワーク１５０経由で受信したコンフィグレーション情報（CFG2）に従って自身のホームセルを調整する。
【００７９】
図１５は、HNB４の動作の具体例を示すフローチャートである。ステップＳ８０１では、HNB４は、コンフィグレーション情報（CFG１）をMNB７経由で受信できたかを判定する。なお、ステップＳ８０１では、マクロセル１２の受信品質が低く、ＭＮＢ７から受信した情報の精度が低いと考えられる場合にも、CFG１を受信できないと判定してもよい。例えば、マクロセル１２のCPICHが受信できない場合、コンフィグレーション情報（CFG１）がエンコードされているSIB（System Information Block）を復号できない場合、又は受信電力（RSSI：Received Signal Strength Indicator）が閾値以下である場合に、CFG１を受信できないと判定すればよい。
【００８０】
CFG1を受信できた場合（Ｓ８０１でＹＥＳ）、HNB４は、CFG1に従ってホームセル１１のコンフィグレーションを行う（ステップＳ８０２）。一方、マクロセル１２の受信品質が不十分、又はCFG1がエンコードされている無線チャネルを復号できない等の理由によってCFG1を受信できなかった場合（Ｓ８０１でＮＯ）、HNB４は、コンフィグレーション情報（CFG2）の送信要求（CFG要求）をコアネットワーク１５０に送信する（ステップＳ８０３）。ステップＳ８０４では、HNB４は、コアネットワーク１５０経由でコンフィグレーション情報（CFG2）を受信できたかを判定する。なお、ステップＳ８０４においてCFG2を受信できないと判定した場合、HNB４は、所定の回数に達するまでステップＳ８０３の動作を繰り返し行ってもよい。
【００８１】
CFG2を受信できた場合（Ｓ８０４でＹＥＳ）、HNB４は、CFG2に従ってホームセル１１のコンフィグレーションを行う（ステップＳ８０５）。一方、CFG2を受信できなかった場合（Ｓ８０４でＮＯ）、HNB４は、デフォルト設定に従って、ホームセル１１のコンフィグレーションを行う（ステップＳ８０６）。
【００８２】
図１６は、RNC４５２による被疑基地局の選択動作および被疑基地局へのコンフィグレーション情報（CFG2）の送信動作の具体例を示すフローチャートである。ステップＳ９０１では、RNC４５２は、コンフィグレーション情報（CFG1）をMNB７経由で送信する。ステップＳ９０２では、RNC４５２は、CFG要求をHNB４から受信したか否かを判定する。CFG要求を受信した場合（ステップＳ９０２でＹＥＳ）、RNC４５２は、CFG要求の送信元HNB３を被疑基地局とみなしてコンフィグレーション情報（CFG２）を送信する（ステップＳ９０３）。
【００８３】
＜第５の実施の形態＞
本実施の形態および次の第６の実施の形態では、マクロセル１２に接続している移動局８−２がホームセル１１からのダウンリンク信号を測定した結果を用いて、被疑基地局の判定を行う具体例について説明する。
【００８４】
図１７は、本実施の形態にかかる移動通信システムの構成例を示す図である。HNB５は、MNB７経由で到達したコンフィグレーション情報（CFG1）又はコアネットワーク１５０経由で到達したコンフィグレーション情報（CFG2）に従ってホームセル１１に関する無線パラメータの設定を行う。
【００８５】
RNC５５２は、マクロセル１２に接続している移動局８−２に対して、ホームセル１１の測定を要求する。移動局８−２は、RNC５５２からHNBセルの測定要求を受信したことに応じて、ホームセル１１からのダウンリンク信号を測定し、測定結果を含む報告をRNC５５２に送信する。RNC５５２は、移動局８−２からの測定報告を参照することで被疑基地局を選択し、コンフィグレーション情報（CFG2）を被疑基地局に送信する。具体的には、HNB５のダウンリンク信号とMNB７のダウンリンク信号との干渉が所定の基準を超える場合に、干渉を与えているHNB５を被疑基地局に選べばよい。
【００８６】
図１８は、本実施の形態の移動局８−２の構成例を示すブロック図である。なお、図１８は、周辺のホームセル（HNBセル）の測定に関連する部分を図示しており、その他の構成部分は省略されている。図１８において、無線通信部８０１は、MNB７との間で無線通信を行う。
【００８７】
受信処理部８０２は、MNB７からのデータを受信し、受信データがHNBセルの測定要求である場合はこれを測定制御部８０４に転送する。また、受信処理部８０２は、測定制御部８０４からの測定指示に応じてホームセル（MNBセル）１１の測定を行い、測定結果を測定制御部８０４に報告する。
【００８８】
測定制御部８０４は、HNBセル測定要求を受信した場合、受信処理部８０２にホームセル（MNBセル）１１の測定を指示する。また、測定制御部８０４は、ホームセル１１の測定結果を受信処理部８０２から受け取り、ホームセル１１の測定結果をRNC５５２へ送信するように送信データ制御部８０３に指示する。
【００８９】
送信データ制御部８０３は、測定制御部８０４からの指示に従って、上りデータ送信の開始または停止を実行する。送信処理部８０５は、アップリンク信号を生成し、送信無線通信部８０１を経由してMNB７に送信する。
【００９０】
図１９は、HNB５へのコンフィグレーション情報の供給手順の具体例を示すシーケンス図である。図１９では、マクロセル１２内またはその近傍に３台のHNB５（５Ａ〜５Ｃ）が配置されている場合を想定している。また、図１９に示す移動局（MUE：Macro UE）８−２Ａ、８−２Ｂ及び８−２Ｃは、HNB５Ａ、５Ｂ及び５Ｃの近傍にそれぞれ位置している移動局である。
【００９１】
ステップＳ１００１では、ＲＮＣ５５２は、移動局８−２Ａ〜８−２ＣにＨＮＢセル測定要求を送信する。この測定要求は、例えば、RRC（Radio Resource Control）メッセージの１つである"Measurement Control"を用いて送信すればよい。HNBセル測定要求は、測定対象HNBを指定する情報を含む。測定対象HNBの指定は、HNBセルの無線周波数、スクランブリングコード、セルIDのうち少なくとも１つを用いて行えばよい。HNBセル測定要求は、HNBセルの測定のためにMNB７からの送信が停止される期間を示す情報を含んでもよい。これにより、MNB7からのダウンリンク信号の影響を除いた正確な測定を行うことができる。
【００９２】
なお、RNC５５２は、測定対象のHNB５の近傍に位置する移動局８−２を選択して測定要求を送信するとよい。HNB５及び移動局８−２の位置判定にはGPS（Global Positioning System）を利用すればよい。具体的には、HNB５及び移動局８−２にGPS（Global Positioning System）受信機を持たせ、コアネットワーク１５０に配置されたサーバ（不図示）又はRNC５５２においてHNB５及び移動局８−２の位置情報を収集すればよい。そして、HNB５の位置情報と移動局８−２の位置情報を照合することによって、測定対象のHNB５の近傍に位置する移動局８−２を選択すればよい。
【００９３】
図１９に戻り説明を続ける。ステップＳ１００２では、移動局８−２Ａ〜８−２Ｃは、ＨＮＢセル測定要求で指定されたHNB５からのダウンリンク信号の測定を行う。ステップＳ１００３では、移動局８−２Ａ〜８−２Ｃは、HNBセルの測定結果をRNC５５２に報告する。この報告は、例えば、RRC（Radio Resource Control）メッセージの１つである"Measurement Report"を用いて行えばよい。
【００９４】
ステップＳ１００４では、RNC５５２は、HNBセルの測定報告を参照し、被疑基地局の選択を行う。上述したように、RNC５５２は、HNB５のダウンリンク信号とMNB７のダウンリンク信号との干渉が所定の基準を超える場合に、干渉を与えているHNB５を被疑基地局に選べばよい。
【００９５】
ステップＳ１００５では、RNC５５２は、HNBセル測定報告に基づいて、コンフィグレーション情報（CFG2）を生成する。具体的には、ホームセル（HNBセル）１１からマクロセル（MNBセル）１２への干渉が大き過ぎる場合には、HNB５のダウンリンク送信電力を低下させる指示を含むCFG2を生成すればよい。これとは逆に、マクロセル（MNBセル）１２からホームセル（HNBセル）１１への干渉が大き過ぎる場合には、HNB５のダウンリンク送信電力の増加を許容する指示を含むCFG2を生成すればよい。
【００９６】
ステップＳ１００６及びＳ１００７では、RNC５５２は、MNB７を経由してマクロセル１２内にコンフィグレーション情報（CFG１）を報知する。ステップＳ１００８では、HNB５Ａ〜５Ｃは、コンフィグレーション情報（CFG１）を受信し、これに従って自身のホームセルの調整を行う。
【００９７】
ステップＳ１００９では、RNC５５２は、被疑基地局に対してコンフィグレーション情報（CFG2）をコアネットワーク１５０からアクセス回線１６経由で送信する。図１９の例では、HNB５Ａが被疑基地局として選択されている。最後に、ステップＳ１０１０では、HNB５Ａは、コアネットワーク１５０経由で受信したコンフィグレーション情報（CFG2）に従って自身のホームセルを調整する。
【００９８】
次に、RNC５５２及び移動局８−２の各々の動作についてフローチャートに従って説明する。なお、HNB５の動作は、第２の実施の形態で説明したHNB２の動作（図９）と同様とすればよい。
【００９９】
図２０は、RNC５５２の動作の具体例を示すフローチャートである。ステップＳ１１０１では、RNC５５２は、HNBセル測定要求を移動局８−２に送信する。ステップＳ１１０２では、移動局８−２からHNBセル測定報告を受信しているかを判定する。測定報告を受信していればステップＳ１１０３に進み、受信していなければステップＳ１１０１に戻る。
【０１００】
ステップＳ１１０３では、RNC５５２は、被疑基地局を選択し、HNB測定報告に基づいてコンフィグレーション情報（CFG2）を生成する。ステップＳ１１０４では、RNC５５２は、コンフィグレーション情報（CFG1）をMNB７経由で無線送信する。ステップＳ１００５では、RNC５５２は、コンフィグレーション情報（CFG2）をコアネットワーク１５０経由で被疑基地局に送信する。
【０１０１】
図２１は、移動局８−２の動作の具体例を示すフローチャートである。ステップＳ１２０１では、移動局８−２は、HNBセル測定要求を受信したかを判定する。HNBセル測定要求を受信した場合（ステップＳ１２０１でＹＥＳ）、移動局８−２は、指定されたホームセル（HNBセル）１１を測定する。ステップＳ１２０３では、移動局８−２は、ホームセル１１の測定結果をMNB７経由でRNC５５２に送信する。
【０１０２】
本実施の形態によれば、マクロセル１２とホームセル１１の干渉レベルを考慮して、コンフィグレーション情報（CFG2）を生成できる。つまり、マクロセル１２のダウンリンク受信電力とホームセル１１のダウンリンク受信電力の差（又は比率）を考慮して、両者の干渉による通信品質の低下を抑制するように、コンフィグレーション情報（CFG2）を生成できる。
【０１０３】
＜第６の実施形態＞
本実施の形態においても、マクロセル１２に接続している移動局８−２がホームセル１１からのダウンリンク信号を測定した結果を用いて、被疑基地局の判定を行う具体例について説明する。図２２は、本実施の形態にかかる移動通信システムの構成例を示す図である。図２２の構成は、図１７に示した第５の実施の形態のシステム構成例と同様である。
【０１０４】
図２３は、HNB６へのコンフィグレーション情報の供給手順の具体例を示すシーケンス図である。図２３では、図１９と同様に、マクロセル１２内またはその近傍に３台のHNB６（６Ａ〜６Ｃ）が配置されている場合を想定している。また、図２３に示す移動局（MUE：Macro UE）８−２Ａ、８−２Ｂ及び８−２Ｃは、HNB６Ａ、６Ｂ及び６Ｃの近傍にそれぞれ位置している移動局である。
【０１０５】
図２３のステップＳ１３０１〜Ｓ１３０５は、第３の実施の形態に関するシーケンス図（図１４）のステップＳ７０１〜Ｓ７０５と同様である。図２３のステップＳ１３０６では、RNC６５２は、CFG要求の送信元であるＨＮＢ６Ａのからのダウンリンク信号を測定するよう移動局８−２Ａに指示する。マクロセル１２に接続している移動局８−２Ａは、RNC６５２からのHNBセル測定要求に応じて、HNB６Ａによって生成されるホームセル１１の測定を行う（ステップＳ１３０７）。ステップＳ１３０８では、移動局８−２Ａは、HNBセルの測定結果をRNC６５２に報告する。
【０１０６】
ステップＳ１３０９では、RNC６５２は、HNBセル測定報告に基づいて、コンフィグレーション情報（CFG2）を生成する。具体的には、ホームセル（HNBセル）１１からマクロセル（MNBセル）１２への干渉が大き過ぎる場合には、HNB６Ａのダウンリンク送信電力を低下させる指示を含むCFG2を生成すればよい。これとは逆に、マクロセル（MNBセル）１２からホームセル（HNBセル）１１への干渉が大き過ぎる場合には、HNB６Ａのダウンリンク送信電力の増加を許容する指示を含むCFG2を生成すればよい。
【０１０７】
ステップＳ１３１０では、被疑基地局であるHNB６Ａに対してコンフィグレーション情報（CFG2）をコアネットワーク１５０経由で送信する。最後に、ステップＳ１３１１では、HNB６Ａは、コアネットワーク１５０経由で受信したコンフィグレーション情報（CFG2）に従って自身のホームセルを調整する。
【０１０８】
次に、RNC６５２の動作を図２４のフローチャートに従って説明する。なお、HNB６の動作は、第４の実施の形態で説明したHNB４の動作（図１５）と同様とすればよい。また、移動局８−２の動作は、第５の実施の形態で説明した移動局８−２の動作（図２１）と同様とすればよい。
【０１０９】
ステップＳ１４０１及びＳ１４０２は、図１６のステップＳ９０１及びＳ９０２と同様である。つまり、ステップＳ１４０１では、RNC６５２は、コンフィグレーション情報（CFG1）をMNB７経由で送信する。ステップＳ１４０２では、RNC６５２は、CFG要求をHNB６から受信したか否かを判定する。
【０１１０】
CFG要求を受信した場合（ステップＳ１４０２でＹＥＳ）、RNC６５２は、CFG要求の送信元HNB６の近傍に位置する移動局８−２を選択し、当該移動局にHNBセル測定要求を送信する（ステップＳ１４０３）。ステップＳ１４０４では、移動局８−２からHNBセルの測定報告を受信したかを判定する。測定報告を受信した場合（ステップＳ１４０４でＹＥＳ）、当該測定報告に基づいてコンフィグレーション情報（CFG２）を生成する（ステップＳ１４０５）。
【０１１１】
一方、測定報告を受信できなかった場合（ステップＳ１４０４でNO）、RNC６５２は、ステップＳ１４０３に戻り、所定の上限回数までHNBセル測定要求の送信を繰り返す（ステップＳ１４０６）。そして、所定の上限回数を超えても測定報告が得られたかった場合、RNC６５２は、CFG２をCFG1と同一の設定内容とする（ステップＳ１４０７）。
【０１１２】
最後に、ステップＳ１４０８では、RNC６５２は、被疑基地局であるHNB６Ａに対してコンフィグレーション情報（CFG2）をコアネットワーク１５０経由で送信する。
【０１１３】
本実施の形態によっても、マクロセル１２とホームセル１１の干渉レベルを考慮して、コンフィグレーション情報（CFG2）を生成できる。つまり、マクロセル１２のダウンリンク受信電力とホームセル１１のダウンリンク受信電力の差（又は比率）を考慮して、両者の干渉による通信品質の低下を抑制するように、コンフィグレーション情報（CFG2）を生成できる。
【０１１４】
＜その他の実施の形態＞
上述した第２〜第６の実施の形態は適宜組み合わせ可能である。被疑基地局の選択は、各実施の形態で説明した選択手順を組み合わせて行ってもよい。
【０１１５】
また、第２〜第６の実施の形態では、UMTSの場合について具体的に説明した。しかしながら、これらの実施の形態で説明したホーム基地局へのコンフィグレーション情報の供給手法は、EPSなど他のシステムにも当然に適用可能である。
【０１１６】
上述した第１〜第６の実施の形態で述べた各装置（無線送信制御部１３、有線送信制御部１４、管理サーバ１５３、ホーム基地局１〜５、移動局８−２、並びにRNC１５２、２５２、３５２、４５２、５５２及び６５２）で行われる処理は、ＡＳＩＣ（Application Specific Integrated Circuit）、ＤＳＰ（Digital Signal Processor）、ＭＰＵ（Micro Processing Unit）若しくはＣＰＵ（Central Processing Unit）又はこれらの組み合わせを含むコンピュータ・システムを用いて実現することができる。具体的には、シーケンス図又はフローチャートを用いて説明した各装置の処理手順に関する命令群を含むプログラムをコンピュータ・システムに実行させればよい。
【０１１７】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１８】
さらに、本発明は上述した実施の形態のみに限定されるものではなく、既に述べた本発明の要旨を逸脱しない範囲において種々の変更が可能であることは勿論である。
【０１１９】
この出願は、２００９年１０月１日に出願された日本出願特願２００９−２２９４７１を基礎とする優先権を主張し、その開示の全てをここに取り込む。
【符号の説明】
【０１２０】
１  ホーム基地局
２〜６  ホーム基地局（HNB）
７  マクロ基地局（M(e)NB）
８、８−１、８−２  移動局
１１  ホームセル
１２  マクロセル
１３  無線送信制御部
１４  有線送信制御部
１５  上位ネットワーク
１６  アクセス回線
１５０  コアネットワーク
１５１  H(e)NBゲートウェイ（H(e)NB-GW）
１５２、２５２、３５２、４５２、５５２、６５２  RNC
１５３  管理サーバ
【図１】
2011039926.tif 000003
【図２】
2011039926.tif 000004
【図３】
2011039926.tif 000005
【図４】
2011039926.tif 000006
【図５】
2011039926.tif 000007
【図６】
2011039926.tif 000008
【図７】
2011039926.tif 000009
【図８】
2011039926.tif 000010
【図９】
2011039926.tif 000011
【図１０】
2011039926.tif 000012
【図１１】
2011039926.tif 000013
【図１２】
2011039926.tif 000014
【図１３】
2011039926.tif 000015
【図１４】
2011039926.tif 000016
【図１５】
2011039926.tif 000017
【図１６】
2011039926.tif 000018
【図１７】
2011039926.tif 000019
【図１８】
2011039926.tif 000020
【図１９】
2011039926.tif 000021
【図２０】
2011039926.tif 000022
【図２１】
2011039926.tif 000023
【図２２】
2011039926.tif 000024
【図２３】
2011039926.tif 000025
【図２４】
2011039926.tif 000026
【手続補正書】
【提出日】平成24年2月27日(2012.2.27)
【手続補正１】
【補正対象書類名】特許請求の範囲
【補正対象項目名】請求項３０
【補正方法】変更
【補正の内容】
【請求項３０】
上位ネットワークにアクセス回線を経由して接続される基地局の制御方法であって、
他の基地局によって形成されるセルから到達する無線信号に含まれる第１のコンフィグレーション情報を取得すること、
前記上位ネットワーク及び前記アクセス回線を経由して到達する第２のコンフィグレーション情報を取得すること、及び
前記第１又は第２のコンフィグレーション情報に基づいて前記基地局により形成される第１のセルを設定すること、
を備える、基地局の制御方法。
【手続補正２】
【補正対象書類名】特許請求の範囲
【補正対象項目名】請求項３２
【補正方法】変更
【補正の内容】
【請求項３２】
上位ネットワークにアクセス回線を経由して接続される基地局に関する制御をコンピュータに実行させるプログラムであって、
前記制御は、
他の基地局によって形成されるセルから到達する無線信号に含まれる第１のコンフィグレーション情報を取得すること、
前記上位ネットワーク及び前記アクセス回線を経由して到達する第２のコンフィグレーション情報を取得すること、及び
前記第１又は第２のコンフィグレーション情報に基づいて前記基地局により形成される第１のセルを設定すること、
を備える、プログラム。
【手続補正３】
【補正対象書類名】特許請求の範囲
【補正対象項目名】請求項３３
【補正方法】変更
【補正の内容】
【請求項３３】
基地局との間で無線通信を行うこと可能な移動局に関する制御をコンピュータに実行させるプログラムであって、
前記制御は、
前記基地局が形成するセルとは異なる測定対象セルを特定するための識別情報を含む測定要求を、前記基地局から無線により到達した受信データの中から取得すること、及び
前記測定要求に基づいて、前記測定対象セルからの無線信号の測定結果を含む前記基地局への送信データを生成すること、
を備える、プログラム。
【国際調査報告】
2011039926.tif 000027
2011039926.tif 000028
2011039926.tif 000029
2011039926.tif 000030
2011039926.tif 000031
2011039926.tif 000032
2011039926.tif 000033